(57)【特許請求の範囲】
【請求項１】
階段や傾斜路の少なくとも片側に沿って傾斜方向に横手摺りを配置し、この横手摺りに登り用縦手摺りを略縦方向に設け、この登り用縦手摺りとは別に下り用縦手摺りを略縦方向に設け、登り用縦手摺りの位置を下り用縦手摺りの位置より低く設定すると共に、登り用縦手摺りは階段踏み面に垂直に配置され、下り用縦手摺りは横手摺りに対し垂直に配置されてなる手摺り。
【請求項２】
横手摺りとこれに取り付けられる登り用縦手摺りとは、階段や傾斜路の傾斜角度に合わせて傾斜角度調整可能に取り付けられるようになっている請求項１に記載の手摺り。
【請求項３】
横手摺りは、登り用縦手摺りを取り付ける登り用横手摺りと、下り用縦手摺りを取り付ける下り用横手摺りとからなる請求項１又は２に記載の手摺り。
【発明の詳細な説明】
【０００１】
【発明の属する技術分野】
本発明は、階段や傾斜路の手摺りに関するもので、特に高齢者や身障者などが掴み易く、安全に登り下りできるようにした手摺りに関する。
【０００２】
【従来の技術】
階段には、歩行者が登り下り時に転落したり、足を踏み外したりして転倒するのを防止するために、手摺りが取り付けられる。そして、その手摺りは、通常、階段の勾配と同じ勾配で配設されている。
【０００３】
【発明が解決しようとする課題】
上記のように、従来の手摺りは階段の勾配と同じ勾配で配設されているため、手摺りを掴み難く、力も入れ難く、特に握力の弱い高齢者や身障者の場合、階段登り下り時に手摺りから手を滑らせて転倒したり、転がり落ちる危険性がある。また、屋外の階段にあっては、雨などにより手摺りが濡れている場合には、更に滑り易く、階段からの落下事故発生の原因となっている。
【０００４】
本発明は、上記の課題に鑑み、掴み易く、力を入れ易く、そして滑り難い手摺りを提供することを目的とする。
【０００５】
【課題を解決するための手段】
請求項１に係る発明の手摺りは、階段や傾斜路の少なくとも片側に沿って傾斜方向に横手摺り１，２を配置し、この横手摺り１，２に登り用縦手摺り３を略縦方向に設け、この登り用縦手摺り３とは別に下り用縦手摺り４を略縦方向に設け、登り用縦手摺り３の位置を下り用縦手摺り４の位置より低く設定すると共に、登り用縦手摺り３は階段踏み面Ｓに垂直に配置され、下り用縦手摺り４は横手摺り１，２に対し垂直に配置されてなることを特徴とする。
【０００８】
請求項２は、請求項１に記載の手摺りにおいて、横手摺り１，２とこれに取り付けられる登り用縦手摺り３とは、階段Ｋや傾斜路の傾斜角度に合わせて傾斜角度調整可能に取り付けられるようになっていることを特徴とする。
【０００９】
請求項３は、請求項１又は２に記載の手摺りにおいて、横手摺りは、登り用縦手摺り３を取り付ける登り用横手摺り１と、下り用縦手摺り４を取り付ける下り用横手摺り２とからなることを特徴とする。
【００１１】
【発明の実施の形態】
図１は本発明の一実施形態による手摺りを階段の上方から見た斜視図、図２の（Ａ）は同階段の上側部分を示す側面図、（Ｂ）はその下側部分を示す側面図である。これらの図において、１及び２は、階段Ｋの脇壁Ｗに階段Ｋの傾斜方向に沿って上下２段に平行に設置された横手摺りで、下段側の横手摺り１は登り用の横手摺りとされ、上段側の横手摺り２は下り用の横手摺りとされる。そして、登り用横手摺り１には、略縦方向（上下方向）に配置された登り用縦手摺り３が横手摺り長手方向一定間隔おきに配設され、また下り用横手摺り２には、同じく略縦方向（上下方向）に配置された下り用縦手摺り４が横手摺り長手方向一定間隔おきに配設されている。これらの図から分かるように、登り用縦手摺り３の位置は下り用縦手摺り４の位置よりも低く設定されている。
【００１２】
各横手摺り１，２は、例えば木材あるいは木材と樹脂との合成材などにより形成されるもので、各横手摺り１，２の上手側端部は、図１及び図３示すように、直角ベンド（パイプピース）５により直角に接続された支持軸６を介して、階段上手側の脇壁部Ｗ′に支持固定されている。尚、支持軸６は、横手摺り１，２と同じ材料で同じ径に形成されている。
【００１３】
各横手摺り１，２の上手側端部を脇壁部Ｗ′に支持固定するにあたっては、図３に示すように、支持軸６の端部が嵌合する有底円筒状のキャップ７を前記脇壁部Ｗ′の所定位置にあらかじめビス８で取り付けておいて、各横手摺り１，２の端部に直角ベンド５の一端部を嵌合させてビス８止めし、その他端部に支持軸６の一端部を嵌合させてビス８止めし、この支持軸６の他端部を、先に脇壁部Ｗ′に取り付けておいたキャップ７に嵌合してビス８止めすればよい。
【００１４】
各横手摺り１，２の下手側端部の支持構造については、図示は省略するが、上記した上手側端部と同様な直角ベンド５と支持軸６とキャップ７を使用して、階段Ｋの下手側で脇壁Ｗに支持固定する。この下手側端部では横手摺り１，２と脇壁Ｗとの間隔が、上手側端部の場合の横手摺り１，２と脇壁部Ｗ′との間隔より狭いので、支持軸６は長さの短いものを使用すればよい。また、各横手摺り１，２の中間部を適当な支持部材によって脇壁Ｗに支持固定するとよい。
【００１５】
登り用横手摺り１に略縦方向に配置される各登り用縦手摺り３は、詳しくは、階段Ｋの踏み面Ｓに対し垂直に配置されており、その垂直線を図２にＧで示す。各登り用縦手摺り３は、横手摺り１，２の同様な材料（木材あるいは木材と樹脂との合成材など）によって略Ｕ状に形成されたＵ字アーム３ａからなるもので、このＵ字アーム３ａの各上端部が、階段Ｋの傾斜角度に合わせて傾斜角度調整可能な連結金具９によって登り用横手摺り１に取り付けられている。
【００１６】
この傾斜角度調整可能な連結金具９は、図４及び図５に示すように、登り用横手摺り１に取り付けられる金具本体１０と、一端部が金具本体１０に角度調整可能に取り付けられる連結軸体１１と、登り用縦手摺り３のＵ字アーム３ａ端部に嵌合し、連結軸体１１の他端部に固定されるキャップ１２とによって構成され、金具本体１０は、登り用横手摺り１の下面部に嵌合する嵌合片１０ａと、この嵌合片１０ａの中央部に一体形成された略半球状の殻体１０ｂとからなるもので、半球状殻体１０ｂにはビス８の軸部がスライド可能に挿通するスリット１３が設けてあり、また連結軸体１１は、その軸線に沿ってビスねじ込み用下孔１１ａを形成した中空状の軸体である。
【００１７】
連結軸体１１の上端面１１ｂは、凹面状に形成されていて、金具本体１０の半球状殻体１０ｂに嵌合され、この殻体１０ｂの内側からビス８がスリット１３を挿通して連結軸体１１の下孔１１ａにねじ込まれ、それによって金具本体１０と連結軸体１１とがスリット１３に沿って互いに角度調整可能に連結されている。また、連結軸体１１の下端面にキャップ１２が当接されて、このキャップ１２の内側からビス８が連結軸体１１の下孔１１ａにねじ込まれ、それによりキャップ１２が連結軸体１１に固定されている。
【００１８】
従って、この連結金具９によって登り用縦手摺り３を登り用横手摺り１に取り付ける時は、金具本体１０の嵌合片１０ａを登り用横手摺り１の下面所要部に嵌合してビス８止めした後、連結軸体１１を金具本体１０に対し適宜に回動させて垂直姿勢にし、この垂直姿勢で連結軸体１１の下端に固定されたキャップ１２を登り用縦手摺り３のＵ字アーム３ａ端部に嵌合してビス８で固定すればよい。
【００１９】
また各登り用縦手摺り３は、その下端部が階段Ｋの脇壁Ｗに取り付けられる金属製の取付ブラケット１４で支持固定されている。この取付ブラケット１４は、図６及び図７に示すように、鋼板をプレス加工して略Ｗ字状に形成されたもので、基端側の取付片１４ａを脇壁Ｗにビス８で固定すると共に、先端側の手摺り受片１４ｂを登り用縦手摺り３のＵ字アーム３ａ下端部にその下面側から当接させてビス８で固定するようになっている。
【００２０】
下り用横手摺り２に略縦方向に配置される各下り用縦手摺り４は、詳しくは、この下り用横手摺り２に対して垂直に配置され、その垂直線を図２にＨで示す。各下り用縦手摺り４は、登り用縦手摺り３と同様な材料（木材あるいは木材と樹脂との合成材など）によって略下向きＵ状に形成されたＵ字アーム４ａからなるもので、このＵ字アーム４ａの両端部が夫々Ｔ型パイプ１５によって下り用横手摺り２に取り付けられている。
【００２１】
Ｔ型パイプ１５は、図８に示すように、互いに直交する横穴１５ａと縦穴１５ｂとを有するもので、取付けにあたって、下り用横手摺り２に多数のＴ型パイプ１５を夫々横穴１５ａを介して外嵌させておいて、所定の下り用縦手摺り取付位置に各Ｔ型パイプ１５をビス８によって固定し、この固定したＴ型パイプ１５の縦穴１５ｂに、下り用縦手摺り４のＵ字アーム４ａの各下端部を嵌合してビス８で固定すればよい。尚、必要に応じて、下り用縦手摺り４を適当な支持金具で脇壁Ｗに支持固定するようにしてもよい。
【００２２】
上記のように構成される手摺りの使用において、歩行者が階段Ｋを登る時は、歩行者は、階段Ｋの傾斜方向に一定間隔で配設されている登り用縦手摺り３を
順次掴みながら登ることによって、安全に階段Ｋを登ることができる。
【００２３】
この場合、各登り用縦手摺り３が登り用横手摺り１に対し縦方向、詳しくは階段Ｋの踏み面Ｓに対し垂直に配置されているから、手摺り３を掴み易く、力を入れ易く、そして滑り難く、登り易くなる。従って、歩行者が、握力の弱い高齢者や身障者や子供であっても、掴み易く、滑り難いから、その手摺り３を確実にしかも力強く、しっかりと握ることができ、手を滑らせて転倒したり、転がり落ちる危険性が少なくなる。
【００２４】
尚、登り用縦手摺り３は、この実施形態のように階段Ｋの踏み面Ｓに対し垂直に配置されるのが最も好ましいわけであるが、この垂直位置に対し若干傾いた状態、つまり略縦方向に配置されても十分効果を有するものである。
【００２５】
また、この実施形態の登り用縦手摺り３は、階段Ｋの２ステップ毎に１個設けられているが、この手摺り３はＵ字アーム３ａからなるため、実質的には１個で２つの縦方向手摺りが存在して、１ステップ毎に設けられたことになるから、１スナップ、即ち一段登るごとに１つの手摺りを掴むことができ、従って小さな子供や身障者などでも極めて安全に階段Ｋを登ることができる。
【００２６】
一方、階段Ｋを下りる時は、歩行者は、階段Ｋの傾斜方向に一定間隔で配設されている下り用縦手摺り４を順次掴みながら下りることによって、安全に階段Ｋを下りることができる。特に階段Ｋを下りる時、歩行者は、若干前かがみ、即ち前傾姿勢になりがちであるが、各下り用縦手摺り４が下り用横手摺り２に対し垂直に配置されているから、そのような前傾姿勢でも手摺り４を掴み易く、滑り難くなり、従って子供や高齢者や身障者であっても、手摺り４を確実に力強く、しっかりと握ることができて、手を滑らせて転倒したり、転がり落ちる危険性が少ない。
【００２７】
また、この実施形態に示すように、登り用縦手摺り３が低い位置にあり、下り用縦手摺り４が高い位置にあるのは、歩行者は、登り時には脚を比較的深く折り曲げるため、必然的に手摺り３を掴む手の位置が低くなり、また下りる時には脚を伸ばしながら下りてゆくため、手摺り３を掴む手の位置が必然的に高くなるからである。要するに、登り用縦手摺り３の位置を低く、下り用縦手摺り４の位置を高く設定することによって、手摺り３，４を掴みながらの階段の登り下りが、自然な状態で行なえ、従って一層登り易く、下り易くなる。
【００２８】
上述した手摺りにおいては、横手摺り１，２とこれに取り付けられる登り用縦手摺り３とは、階段Ｋの傾斜角度に合わせて傾斜角度調整可能な連結金具９によって取り付けられ、即ち図４の矢印ａで示すように階段Ｋ側の傾斜角度が変更されても、登り用縦手摺り３を常に垂直姿勢に配設できるから、手摺りの施工が簡単容易となり、施工費用の低廉化を図ることができる。
【００２９】
また、上述した実施形態の手摺りでは、横手摺りを、登り用縦手摺り３を取り付ける登り用横手摺り１と、下り用縦手摺り４を取り付ける下り用横手摺り２との２本の横手摺り１，２によって構成しているが、１本の横手摺りに登り用縦手摺り３と下り用縦手摺り４とを取り付けるようにしてもよい。しかしながら、実施形態のように登り用横手摺り１と下り用横手摺り２との２本の横手摺り１，２を使用すれば、登り用縦手摺り３及び下り用縦手摺り４の夫々の間隔を十分短く設定できて、階段Ｋの登り下りをより一層安全に行なわせることができる。
【００３０】
以上の実施形態では、階段Ｋに手摺りを設置する場合について説明したが、比較的勾配のきつい傾斜路（スロープ）の場合にも本発明の手摺りを設置することができる。また実施形態では、階段Ｋや傾斜路の片側に本発明の手摺りを設置したが、もちろん階段Ｋや傾斜路の両側に設置してもよい。
【００３１】
【発明の効果】
請求項１に係る発明の手摺りによれば、階段などの少なくとも片側に沿って傾斜方向に横手摺りを配置し、この横手摺りに登り用縦手摺りを略縦方向に設け、この登り用縦手摺りとは別に下り用縦手摺りを略縦方向に設けているから、歩行者は、階段などを登る時には登り用縦手摺りを順次掴みながら登り、また下りる時には下り用縦手摺りを順次掴みながら下りることによって、階段などを安全に登り下りすることができる。
また、本発明によれば、登り用縦手摺りが低い位置にあり、下り用縦手摺りが高い位置にあるため、歩行者は、登り時には脚を比較的深く折り曲げるため、必然的に手摺りを掴む手の位置が低くなり、また下りる時には脚を伸ばしながら下りてゆくため、手摺りを掴む手の位置が必然的に高くなる。要するに、登り用縦手摺りの位置を低く、下り用縦手摺りの位置を高く設定することによって、手摺りを掴みながらの階段の登り下りが、自然な状態で行え、従って一層登り易く、下り易くなる。
【００３２】
この場合、登り用縦手摺りは登り用横手摺りに対し略縦方向に、且つ階段踏み面に垂直に配置し、また下り用縦手摺りは下り用横手摺りに対して略縦方向に、且つ横手摺りに対し垂直に配置していることから、手摺りを掴み易く、力を入れ易く、しかも滑り難くなって、登り下りが容易となり、特に歩行者が握力の弱い高齢者や身障者や子供であっても、手摺りを力強く握ることができ、手を滑らせて転倒したり、転がり落ちる危険性が少ない。また、下り時の前かがみ姿勢でその手摺りが一層掴み易く、滑り難くなり、一層下り易く且つ安全となる。
【００３５】
請求項２に記載のように、横手摺りとこれに取り付けられる登り用縦手摺りとが階段などの傾斜角度に合わせて傾斜角度調整可能に取り付けられるようになっているから、階段などへの手摺りの取付け施工が簡単容易となり、施工費の低廉化を図ることができる。
【００３６】
請求項３に記載のように、横手摺りを、登り用縦手摺りを取り付ける登り用横手摺りと、下り用縦手摺りを取り付ける下り用横手摺りとの２本の横手摺りによって構成しているから、登り用縦手摺り及び下り用縦手摺りの夫々の取付間隔を十分短く設定できて、階段などの登り下りをより一層安全に行なわせることができる。
【図面の簡単な説明】
【図１】本発明の一実施形態による手摺りを階段の上方から見た斜視図である。
【図２】（Ａ）は同階段の上側部分を示す側面図、（Ｂ）はその下側部分を示す側面図である。
【図３】横手摺りの端部の支持構造を示す拡大断面図である。
【図４】登り用横手摺りに対する登り用縦手摺りの取付構造を示す拡大断面図である。
【図５】図４のＸ−Ｘ線断面図である。
【図６】登り用縦手摺りの下端部を取付ブラケットで脇壁に支持固定する状態を示す正面図である。
【図７】図６のＹ−Ｙ線断面図である。
【図８】下り用縦手摺りの下端部をＴ型パイプによって下り用横手摺りに取り付けた状態を示す正面図である。
【符号の説明】
１            登り用横手摺り
２            下り用横手摺り
３            登り用縦手摺り
４            下り用縦手摺り
９            連結金具
Ｋ            階段
Ｓ            階段踏み面
【図１】
0003541196.tif 000002
【図２】
0003541196.tif 000003
【図３】
0003541196.tif 000004
【図４】
0003541196.tif 000005
【図５】
0003541196.tif 000006
【図６】
0003541196.tif 000007
【図７】
0003541196.tif 000008
【図８】
0003541196.tif 000009